(57)【要約】【課題】  使用者と支援者が大きな負担なく簡単に使用できることで、これまで音楽活動への参加が難しかった人達が気軽に音楽活動に参加することができる打楽器用操作支援補助装置を提供する。【解決手段】  本考案の打楽器用操作支援補助装置は、打楽器の近傍に設置される本体１に立設した支柱２と、この支柱２で略中央を軸支してシーソー状態で可動するアーム３と、アーム３前部を上下移動させるアーム３前部に保持されて本体１に一端が固定される可動糸４と、アーム３後方に設けてアーム３を所定位置に復帰させる弾性部材５と、可動糸４を長さ方向に移動可能とする可動糸４の他端を巻き取る動力源６と、アーム３に前記打楽器を操作する用具８を着脱自在に設ける装着部材７と、動力源６をオンオフ制御する操作部９とからなる。【選択図】図１
0003227730.tif 000002
【実用新案登録請求の範囲】
【請求項１】
打楽器の近傍に設置される本体に立設した支柱と、この支柱で略中央を軸支してシーソー状態で可動するアームと、前記アーム前部を上下移動させる前記アーム前部に保持されて前記本体に一端が固定される可動糸と、前記アーム後方に設けて前記アームを所定位置に復帰させる弾性部材と、前記可動糸を長さ方向に移動可能とする前記可動糸の他端を巻き取る動力源と、前記アームに前記打楽器を操作する用具を着脱自在に設ける装着部材と、前記動力源をオンオフ制御する操作部とからなることを特徴とする打楽器用操作支援補助装置。
【考案の詳細な説明】
【技術分野】
【０００１】  本考案は、打楽器用操作支援補助装置に関するものである。
【背景技術】
【０００２】  例えば、握力が弱い身体障害者や高齢者がマレットで打楽器を演奏する場合の補助装置として、２個の球部の大きさを変えて製作した場合は、握力・握り易さに応じて握る側を選択できる他、２個の球部の大きさの違いにより叩いた際の音色や弾む感覚の違いを楽しむことが可能となるものが知られている（下記「特許文献１」参照）。
【先行技術文献】
【特許文献】
【０００３】
【特許文献１】実用新案登録第３１３６７５８号公報
【考案の概要】
【考案が解決しようとする課題】
【０００４】  しかしながら、上記補助装置を用いても、支援学校や福祉施設等において、身体的あるいは精神的な障害を有する人達が太鼓等の打楽器を自身の人体機能で操作（演奏）することが困難であったことに着目し、打楽器を叩く力が小さく音楽活動の参加困難を解決しようとしたものである。
【課題を解決するための手段】
【０００５】  本考案は、平坦な本体に立設した支柱とこの支柱に略中央を軸支したアームを設け、前記アーム後部にバネ及び前記アーム前部に移動可能状態に糸を保持すると共に前記アーム後方にはバネを設けて前記アームが所定位置に復帰可能とし、前記糸を動力源により前記糸の長さ方向の前後方向に移動可能とし、前記アームに打楽器を装着可能とする面テープを設け、離れた個所からのスイッチ操作により前記動力源を操作可能とするスイッチを前記本体に設置した。【０００６】  前記本体に設置した前記支柱から伸びる前記アームが前記糸の移動によりシーソーのように可動する仕組みであり、前記アーム後方のバネで前記アームが所定位置に復帰することで、前記スイッチの操作により前記駆動源による前記糸を巻き上げて前記アームを前方に倒し、前記スイッチ操作で前記駆動源を停止させると前記バネの弾性力で前記アームは元の位置に戻り、以後前記スイッチの操作により繰り返し動作が可能となり、前記アームにより打楽器を操作（演奏）することができるものである。
【考案の効果】
【０００７】  本考案は、上記人達がスイッチを押すだけで打楽器を叩けるようにするための打楽器用操作支援補助装置であり、使用者と支援者が大きな負担なく簡単に使用できることで、これまで音楽活動への参加が難しかった上記人達が気軽に音楽活動に参加することができる。
【図面の簡単な説明】
【０００８】
【図１】  本考案の実施例の斜視図である。
【考案を実施するための形態】
【０００９】  本考案の打楽器用操作支援補助装置は、打楽器の近傍に設置する本体に立設した支柱と、この支柱で略中央を軸支してシーソー状態で可動するアームと、前記アーム前部を上下移動させる前記アーム前部に保持されて前記本体に一端が固定される可動糸と、前記アーム後方に設けて前記アームを所定位置に復帰させる弾性部材と、前記可動糸を長さ方向に移動可能とする前記可動糸の他端を巻き取る動力源と、前記アームに前記打楽器を操作する用具を着脱自在に設ける装着部材と、前記動力源をオンオフ制御する操作部とからなるものである。
【実施例】
【００１０】  以下、添付図面によって本考案に係る打楽器用操作支援補助装置の一実施例を説明する。【００１１】  １は、太鼓やタンバリン等の打楽器（図示しない）の近傍に設置される略平板の木製の本体、２は、本体１に立設したポール上の木製の支柱、３は、支柱２で略中央を軸支してシーソー状に可動する木製のアーム、４は、アーム３前部を上下移動させるアーム３前部に保持されて本体１に一端が固定される可動糸、５は、アーム３後方に設けてアーム３を所定位置に復帰させるバネ等の弾性部材、６は、可動糸４を長さ方向に移動可能とする可動糸４の他端を巻き取る動力源、７は、アーム３に前記打楽器を操作するバチ等の用具８を着脱自在に設ける面テープ等の装着部材、９は、離れた個所から動力源６をオンオフ制御する操作部である。【００１２】  ここで、動力源６は、回転軸を有する電動モーターで、前記回転軸にプーリー１０が固定されており、このプーリー１０に可動糸４の他端が固定されている。【００１３】  そして、動力源６は、操作部９からの入力信号により、オンの時には可動糸４をプーリー１０に巻き付けてアーム３の前方を降下させることによりアーム３に装着した用具９が前記打楽器に当たって演奏でき、オフの時には可動糸４を開放してアーム３の前方を弾性部材５により持ち上げる構成となっている。【００１４】  なお、動力源６の駆動電力は、台座１上または外部に用意した電源を使用することができ、本実施例では、台座１に電池１１を設けており、操作部９とは別にメインスイッチ１２を設けている。【００１５】  使用者または使用者を補助する第三者がメインスイッチ１２を入れ、操作部９へ外部から前記使用者の操作により信号が入ると動力源６が図面の時計回りに回転して同時にプーリー１０も同方向に回転して可動糸４を巻き上げることによりアーム３前側が左下に引かれて倒れことにより、アーム３に装着した用具８が前記打楽器に当たって演奏できる。【００１６】  この場合、アーム３の動作の妨げにならないように動力源６を本体１の中心部に配置することが望ましい。【００１７】  なお、１３は、滑車の役割をするリングであり、可動糸４の長さ調整可能な糸止めである。【００１８】  操作部９は、３．５ｍｍ２極イヤホンジャックのメス側で離れた個所ら使用者による図示しない外部スイッチでの操作を可能とものである。【００１９】  このように、本考案の打楽器用操作支援補助装置によれば、身体の機能障害があり力を入れて正確な動作が困難な使用者は、スイッチ押す動作ができれば、打楽器を演奏でき、音楽を初めとする様々な活動に参加できるため、行動の幅を広げることができるものである。
【符号の説明】
【００２０】    １  本体
２  支柱
３  アーム
４  可動糸
５  弾性部材
６  動力源
７  装着部材
８  用具
９  操作部
１０  プーリー
１１  電池ボックス
１２  本体スイッチ
１３  滑車リング
【図１】
0003227730.tif 000003